(57)【要約】【課題】  付加価値の高い携帯機としてのインフォメーションキーを提供し、また、使い勝手の改善を図ることができるインフォメーションキーを提供する。【解決手段】  インフォメーションキー２１には、キー装着部への装着時や携帯時に各種の情報を表示する表示部２２を備え、セキュリティ＆アイデンティフィケーション機能Ａ、オーディオ・ビジュアルエンターテイメント機能Ｂ、ドライバーサポート機能Ｃ、ビークルステイタスインフォメーション機能Ｄ、カスタマーリレイションマネジメント機能Ｅ、及び、エレクトリカルコマース機能Ｆを備える。また、インフォメーションキー２１に備える操作スイッチは、メニューを選択するためのメニューキー２３及びバックキー２４と、機能を作動又は停止させるための作動操作キー２５のみとする。【選択図】        図１
2005067278.tif 000002
【特許請求の範囲】
【請求項１】
車両側のキー装着部に着脱可能に装着され、前記キー装着部から取り外して携帯可能な情報機能付きキーであって、
車両側の施錠開錠手段と無線通信を行うことにより、前記施錠開錠手段に車両のドアの施錠又は開錠を行わせる施錠開錠指令手段と、
前記キー装着部に前記情報機能付きキーを装着した状態で車両側のエンジン始動手段と無線通信又は有線通信を行うことにより、前記エンジン始動手段によるエンジンの始動を許可するエンジン始動許可手段と、
前記情報機能付きキーを前記キー装着部に装着したとき、及び、前記情報機能付きキーを前記キー装着部から取り外したときに各種の情報を表示する表示手段と、
を備えたことを特徴とする情報機能付きキー。
【請求項２】
請求項１に記載の情報機能付きキーにおいて、
車両側の情報送信手段から無線通信又は有線通信によって送信される情報を受信する情報受信手段と、
情報を記憶する情報記憶手段とを有し、
前記表示手段では、前記情報機能付きキーを前記キー装着部に装着したときには、前記車両側の情報送信手段から前記情報受信手段によって受信する情報、及び、前記情報記億手段に記憶された情報を表示し、前記情報機能付きキーを前記キー装着部から取り外したときには、前記情報記億手段に記憶された情報を表示することを特徴とする情報機能付きキー。
【請求項３】
請求項２に記載の情報機能付きキーにおいて、
前記車両側の情報送信手段から前記情報受信手段によって受信する情報は、車両状態を表す情報であり、前記情報記憶手段に記憶される情報は、音情報もしくは映像情報、ナビゲーションに関する情報、車両のメンテナンス情報、又は、電子商取引に関する情報であることを特徴とする情報機能付きキー。
【請求項４】
車両側のキー装着部に着脱可能に装着され、前記キー装着部から取り外して携帯可能な情報機能付きキーであって、
車両側の施錠開錠手段と無線通信を行うことにより、前記施錠開錠手段に車両のドアの施錠又は開錠を行わせる施錠開錠指令手段と、
前記キー装着部に前記情報機能付きキーを装着した状態で車両側のエンジン始動手段と無線通信又は有線通信を行うことにより、前記エンジン始動手段によるエンジンの始動を許可するエンジン始動許可手段と、
音楽情報が記憶されたメモリーカードを着脱可能に装着するカード装着部と、
前記カード装着部に前記メモリーカードを装着したときに前記メモリーカードに記憶された音楽情報を再生する音楽情報再生手段と、
を有することを特徴とする情報機能付きキー。
【請求項５】
車両側のキー装着部に着脱可能に装着され、前記キー装着部から取り外して携帯可能な情報機能付きキーであって、
車両側の施錠開錠手段と無線通信を行うことにより、前記施錠開錠手段に車両のドアの施錠又は開錠を行わせる施錠開錠指令手段と、
前記キー装着部に前記情報機能付きキーを装着した状態で車両側のエンジン始動手段と無線通信又は有線通信を行うことにより、前記エンジン始動手段によるエンジンの始動を許可するエンジン始動許可手段と、
ナビゲーションに関する情報が記憶されたメモリーカードを着脱可能に装着するカード装着部と、
前記カード装着部に前記メモリーカードを装着したときに前記メモリーカードに記憶されたナビゲーションに関する情報を車両側のナビゲーションシステムに無線通信又は有線通信で送信するナビゲーション情報送信手段と、
を有することを特徴とする情報機能付きキー。
【請求項６】
車両側のキー装着部に着脱可能に装着され、前記キー装着部から取り外して携帯可能な情報機能付きキーであって、
車両側の施錠開錠手段と無線通信を行うことにより、前記施錠開錠手段に車両のドアの施錠又は開錠を行わせる施錠開錠指令手段と、
前記キー装着部に前記情報機能付きキーを装着した状態で車両側のエンジン始動手段と無線通信又は有線通信を行うことにより、前記エンジン始動手段によるエンジンの始動を許可するエンジン始動許可手段と、
車両側のメンテナンス情報送信手段から無線通信又は有線通信で送信されるメンテナンス情報を記憶する記憶手段と、
を備えたことを特徴とする情報機能付きキー。
【請求項７】
車両側のキー装着部に着脱可能に装着され、前記キー装着部から取り外して携帯可能な情報機能付きキーであって、
車両側の施錠開錠手段と無線通信を行うことにより、前記施錠開錠手段に車両のドアの施錠又は開錠を行わせる施錠開錠指令手段と、
前記キー装着部に前記情報機能付きキーを装着した状態で車両側のエンジン始動手段と無線通信又は有線通信を行うことにより、前記エンジン始動手段によるエンジンの始動を許可するエンジン始動許可手段と、
電子商取引に関する情報を記憶した記憶手段と、
を有することを特徴とする情報機能付きキー。
【請求項８】
請求項１，２又は３に記載の情報機能付きキーにおいて、
前記情報機能付きキーに備えた操作スイッチは、前記情報機能付きキーを前記キー装着部から取り外した状態で前記表示手段に表示されるメニューを選択するためのメニュー選択スイッチと、前記情報機能付きキーを前記キー装着部から取り外した状態で作動可能な機能を作動又は停止させるための作動操作スイッチのみであることを特徴とする情報機能付きキー。
【発明の詳細な説明】
【技術分野】
【０００１】
本発明はメカニカルキーを用いることなく無線通信により車両のドアの開錠及び施錠などを行うキーレスエントリーシステムの携帯機である情報機能付きキーに関する。
【背景技術】
【０００２】
従来、メカニカルキーを用いずに車両のドアの施錠（ロック）及び開錠（アンロック）を行うことができるシステムとして、キーレスエントリーシステムと称されるものが知られている。キーレスエントリーでは無線式の携帯機を用い、前記携帯機に備えられたロック／アンロックの操作ボタンを操作することにより、前記携帯機から無線通信により本人認証のための認証情報（照合ＩＤ）を含む信号を送信し、この信号を車両側の照合装置で受信して同照合装置に記憶されている照合ＩＤと前記信号に含まれる照合ＩＤとを照合した後、車両のドアを施錠又は開錠する。
【０００３】
また、キーレスエントリーシステムとしては、更にスマートエントリーシステムと称されるものも知られている。スマートエントリーシステムでは携帯機のボタン操作を要せず、無線式の携帯機を携帯したドライバーなどの使用者が車両に対して接近又は離間するだけで、車両側の照合装置から常に発信されている伝搬（通信）範囲の狭い電波に呼応して前記携帯機から無線通信により照合ＩＤを含む信号を送信し、この信号を車両側の照合装置で受信して同照合装置に記憶されている照合ＩＤと前記信号に含まれる照合ＩＤとを照合した後、車両のドアを施錠又は開錠する。
【０００４】
そして、現在ではキーレスエントリーシステムの携帯機に更に様々な付加価値をつけることが検討されている。例えばキーレスエントリーシステムの携帯機に車両ドアの施錠開錠機能以外の付加価値をつけた例としては、特許文献１がある。図５は特許文献１に示されている従来のキーレスエントリーシステムの携帯機の構成図である。図５に示す携帯機１は、車両のインストルメントパネル部に設けられる車両用オーディオ本体部２に形成された凹状の装着部５に対して着脱可能に構成されたオーディオ操作部３と、車両に対してキーレスロック信号及びキーレスアンロック信号を送信するトランスミッタ４とが一体構成されたものである。
【０００５】
オーディオ本体部２には音楽情報媒体や音声情報媒体（ＣＤ、ＭＤなど）を挿入する挿入口６、給電端子７、送受信ポート８などが設けられる一方、携帯機１にはオーディオ用やキーレスエントリー用などのスイッチ９，１０，１１，１２、音量調整用ボリューム１３、オーデォオ用表示部とドアロック・アンロックの確認情報表示部とを共用する表示部１４が設けられている。つまり、携帯機１は車両ドアの開錠施錠機能の他にオーディオ操作機能や表示機能の付加価値がつけられている。
【０００６】
【特許文献１】特開平１１−２３８３７１号公報
【発明の開示】
【発明が解決しようとする課題】
【０００７】
携帯機はキーレスエントリーシステムを有する車両には必須のものであり、当該車両の使用者（ドライバなど）は必ず携帯するものである。このため、上記のように車両ドアの開錠施錠機能の他にオーディオ操作機能や表示機能を加えるだけでなく、各種の機能を加えて付加して携帯機を更に付加価値の高いものにすることは、車両の価値を高めることなどにもつながり、非常に有効である。
【０００８】
一方、情報機能付きキーは使用者が持ち運び易いように小さく作製されているため、上記のようにオーディオの操作部と共用する場合、操作スイッチの配列に限界があり、操作スイッチの数も多くすることができないため、使い勝手があまり良いとはいえない。
【０００９】
従って本発明は上記の事情に鑑み、付加価値の高い携帯機としての情報機能付きキーを提供し、また、使い勝手の改善を図ることができる情報機能付きキーを提供することを課題とする。
【課題を解決するための手段】
【００１０】
上記課題を解決する第１発明の情報機能付きキーは、車両側のキー装着部に着脱可能に装着され、前記キー装着部から取り外して携帯可能な情報機能付きキーであって、
車両側の施錠開錠手段と無線通信を行うことにより、前記施錠開錠手段に車両のドアの施錠又は開錠を行わせる施錠開錠指令手段と、
前記キー装着部に前記情報機能付きキーを装着した状態で車両側のエンジン始動手段と無線通信又は有線通信を行うことにより、前記エンジン始動手段によるエンジンの始動を許可するエンジン始動許可手段と、
前記情報機能付きキーを前記キー装着部に装着したとき、及び、前記情報機能付きキーを前記キー装着部から取り外したときに各種の情報を表示する表示手段と、
を備えたことを特徴とする。
【００１１】
また、第２発明の情報機能付きキーは、第１発明の情報機能付きキーにおいて、
車両側の情報送信手段から無線通信又は有線通信によって送信される情報を受信する情報受信手段と、
情報を記憶する情報記憶手段とを有し、
前記表示手段では、前記情報機能付きキーを前記キー装着部に装着したときには、前記車両側の情報送信手段から前記情報受信手段によって受信する情報、及び、前記情報記億手段に記憶された情報を表示し、前記情報機能付きキーを前記キー装着部から取り外したときには、前記情報記億手段に記憶された情報を表示することを特徴とする。
【００１２】
また、第３発明の情報機能付きキーは、第２発明の情報機能付きキーにおいて、
前記車両側の情報送信手段から前記情報受信手段によって受信する情報は、車両状態を表す情報であり、前記情報記憶手段に記憶される情報は、音情報もしくは映像情報、ナビゲーションに関する情報、車両のメンテナンス情報、又は、電子商取引に関する情報であることを特徴とする。
【００１３】
また、第４発明の情報機能付きキーは、車両側のキー装着部に着脱可能に装着され、前記キー装着部から取り外して携帯可能な情報機能付きキーであって、
車両側の施錠開錠手段と無線通信を行うことにより、前記施錠開錠手段に車両のドアの施錠又は開錠を行わせる施錠開錠指令手段と、
前記キー装着部に前記情報機能付きキーを装着した状態で車両側のエンジン始動手段と無線通信又は有線通信を行うことにより、前記エンジン始動手段によるエンジンの始動を許可するエンジン始動許可手段と、
音楽情報が記憶されたメモリーカードを着脱可能に装着するカード装着部と、
前記カード装着部に前記メモリーカードを装着したときに前記メモリーカードに記憶された音楽情報を再生する音楽情報再生手段と、
を有することを特徴とする。
【００１４】
また、第５発明の情報機能付きキーは、車両側のキー装着部に着脱可能に装着され、前記キー装着部から取り外して携帯可能な情報機能付きキーであって、
車両側の施錠開錠手段と無線通信を行うことにより、前記施錠開錠手段に車両のドアの施錠又は開錠を行わせる施錠開錠指令手段と、
前記キー装着部に前記情報機能付きキーを装着した状態で車両側のエンジン始動手段と無線通信又は有線通信を行うことにより、前記エンジン始動手段によるエンジンの始動を許可するエンジン始動許可手段と、
ナビゲーションに関する情報が記憶されたメモリーカードを着脱可能に装着するカード装着部と、
前記カード装着部に前記メモリーカードを装着したときに前記メモリーカードに記憶されたナビゲーションに関する情報を車両側のナビゲーションシステムに無線通信又は有線通信で送信するナビゲーション情報送信手段と、
を有することを特徴とする。
【００１５】
また、第６発明の情報機能付きキーは、車両側のキー装着部に着脱可能に装着され、前記キー装着部から取り外して携帯可能な情報機能付きキーであって、
車両側の施錠開錠手段と無線通信を行うことにより、前記施錠開錠手段に車両のドアの施錠又は開錠を行わせる施錠開錠指令手段と、
前記キー装着部に前記情報機能付きキーを装着した状態で車両側のエンジン始動手段と無線通信又は有線通信を行うことにより、前記エンジン始動手段によるエンジンの始動を許可するエンジン始動許可手段と、
車両側のメンテナンス情報送信手段から無線通信又は有線通信で送信されるメンテナンス情報を記憶する記憶手段と、
を備えたことを特徴とする。
【００１６】
また、第７発明の情報機能付きキーは、車両側のキー装着部に着脱可能に装着され、前記キー装着部から取り外して携帯可能な情報機能付きキーであって、
車両側の施錠開錠手段と無線通信を行うことにより、前記施錠開錠手段に車両のドアの施錠又は開錠を行わせる施錠開錠指令手段と、
前記キー装着部に前記情報機能付きキーを装着した状態で車両側のエンジン始動手段と無線通信又は有線通信を行うことにより、前記エンジン始動手段によるエンジンの始動を許可するエンジン始動許可手段と、
電子商取引に関する情報を記憶した記憶手段と、
を有することを特徴とする。
【００１７】
また、第８発明の情報機能付きキーは、第１，第２又は第３発明の情報機能付きキーにおいて、
前記情報機能付きキーに備えた操作スイッチは、前記情報機能付きキーを前記キー装着部から取り外した状態で前記表示部に表示されるメニューを選択するためのメニュー選択スイッチと、前記情報機能付きキーを前記キー装着部から取り外した状態で作動可能な機能を作動又は停止させるための作動操作スイッチのみであることを特徴とする。
【発明の効果】
【００１８】
第１発明の情報機能付きキーによれば、施錠開錠指令手段を有するだけでなく、
エンジン始動許可手段を備え、そして更には情報機能付きキーをキー装着部に装着したとき、及び、情報機能付きキーをキー装着部から取り外したときに各種の情報を表示する表示手段を備えているため、表示手段によって各種の情報を使用者（ドライバーなど）に提供することができるため、付加価値の高い携帯機となる。
【００１９】
また、第２発明の情報機能付きキーによれば、情報受信手段と情報記憶手段とを有し、表示手段において、情報機能付きキーをキー装着部に装着したときには、車両側の情報送信手段から情報受信手段によって受信する情報、及び、情報記億手段に記憶された情報を表示し、情報機能付きキーをキー装着部から取り外したときには、情報記億手段に記憶された情報を表示することができるため、表示手段を有効に活用した付加価値の高い携帯機となる。
【００２０】
また、第３発明の情報機能付きキーによれば、車両側の情報送信手段から情報受信手段によって受信する情報が、車両状態を表す情報であり、情報記憶手段に記憶される情報が、音情報もしくは映像情報、ナビゲーションに関する情報、車両のメンテナンス情報、又は、電子商取引に関する情報であるため、各種の情報を使用者に提供できる付加価値の非常に高い携帯機となる。
【００２１】
また、第４発明の情報機能付きキーによれば、施錠開錠指令手段を有するだけでなく、エンジン始動許可手段を備え、そして更には音楽情報が記憶されたメモリーカードを着脱可能に装着するカード装着部と、カード装着部にメモリーカードを装着したときにメモリーカードに記憶された音楽情報を再生する音楽情報再生手段とを備えているため、使用者に音楽情報も提供することができる付加価値の高い携帯機となる。
【００２２】
また、第５発明の情報機能付きキーによれば、施錠開錠指令手段を有するだけでなく、エンジン始動許可手段を備え、そして更にはナビゲーションに関する情報が記憶されたメモリーカードを着脱可能に装着するカード装着部と、カード装着部にメモリーカードを装着したときにメモリーカードに記憶されたナビゲーションに関する情報を車両側のナビゲーションシステムに送信するナビゲーション情報送信手段とを備えているため、目的地点等のナビゲーション情報を簡単に車両にインプットすることもできる付加価値の高い携帯機となる。
【００２３】
また、第６発明の情報機能付きキーによれば、施錠開錠指令手段を有するだけでなく、エンジン始動許可手段を備え、そして更には車両側のメンテナンス情報送信手段より送信されるメンテナンス情報を記憶する記憶手段とを備えているため、使用者やディーラなどにメンテナンス情報を提供することもできる付加価値の高い携帯機となる。
【００２４】
また、第７発明の情報機能付きキーによれば、施錠開錠指令手段を有するだけでなく、エンジン始動許可手段を備え、そして更には電子商取引に関する情報を記憶した記憶手段を備えているため、クレジットカードとしての利用も可能となり、付加価値の高い携帯機となる。
【００２５】
また、第８発明の情報機能付きキーによれば、情報機能付きキーに備えた操作スイッチは、情報機能付きキーをキー装着部から取り外した状態で表示手段に表示されるメニューを選択するためのメニュー選択スイッチと、情報機能付きキーをキー装着部から取り外した状態で作動可能な機能を作動又は停止させるための作動操作スイッチのみであるため、即ち、必要最低限の操作スイッチのみを有しているため、表示手段を有していても、小型で持ち運に適したものとなり、しかも、その他の操作スイッチは車両側に設けることになり、操作スイッチの配置や数に対する制限が少ないため、使い勝手の改善を図ることができる。
【発明を実施するための最良の形態】
【００２６】
以下、本発明の実施の形態例を図面に基づき詳細に説明する。
【００２７】
図１は本発明の実施の形態に係るインフォメーションキー（情報機能付きキー）の構成図、図２は前記インフォメーションキーの主な内部構成などを示すブロック図、図３は前記インフォメーションキーを車両側のキー装着部に装着した状態を示す図、図４は車両側の操作部の操作例と前記インフォメーションキーの表示部の表示例とを示す説明図である。
【００２８】
図１では本実施の形態のインフォメーションキー２１の構成（外観）を中央部に図示し、その周囲にインフォメーションキー２１が有する各種の機能Ａ，Ｂ，Ｃ，Ｄ，Ｅ，Ｆを図示している。
【００２９】
図１に示すように、キーレスエントリーシステム（スマートエントリーシステム）の携帯機としてのインフォメーションキー（情報機能付きキー）２１は、円形状の本体部２１Ａと、本体部２１Ａの側部に突設された円弧状の凸部２１Ｂとを有し、全体がダルマ形状となっている。なお、凸部２１Ｂは、携帯に便利なように本体部２１Ａ裏面に収納可能に構成されている。本体部２１Ａの中央部には、表示手段として円形状に形成された液晶ディスプレイなど表示部２２を有しており、本体部２１Ａの周縁部には、メニュー選択スイッチとしてメニューキー２３とバックキー２４とが設けられている。表示部２２に表示される選択メニューを、メニューキー２３を操作する（押す）ことによって順方向に選択することができ、バックキー２３を操作する（押す）ことによって逆方向に選択することができる。選択メニューが階層的になっている場合、バックキー２３を操作すると上位の選択メニューに戻ることができる。
【００３０】
また、凸部２１Ｂには、作動操作スイッチとして作動操作キー２５が設けられている。例えば、作動操作キー２５を操作する（押す）ことによって、ＰＣカード、メモリスティック又はスマートメディアなどのメモリーカード２６に記憶された音情報（音楽情報や会話の記録情報など）や画像情報の再生が開始され、作動操作キー２５を再度操作する（押す）ことによって、前記再生が停止される。また、作動操作キー２５を数秒押した状態で保持すると初期画面に戻り、再びメニュー選択できる。つまり、インフォメーションキー２１に設けられた操作スイッチは、インフォメーションキー２１を車両側のキー装着部（図３参照、詳細後述）から取り外した状態で表示部２２に表示される選択メニューを選択するためのメニューキー２３及びバックキー２４と、インフォメーションキー２１を前記キー装着部から取り外した状態で作動可能な機能（音楽情報や画像情報の再生機能など）を作動又は停止させるための作動操作キー２５のみである。
【００３１】
メモリーカード２６はインフォメーションキー２１のカード装着部に着脱可能に装着される。即ち、インフォメーションキー２１の側部にはカード装着部としてスロット２７が設けられており、スロット２７へのメモリーカード２６の挿し込みや、スロット２７からのメモリーカード２６の引き抜きを容易に行うことができるようになっている。また、再生された音楽情報などの音情報は、イヤホン２８のプラグ２９をインフォメーションキー２１の側部に設けられたイヤホンジャック３０に挿し込むことにより、イヤホン２８によって聞くことができる。また、インフォメーションキー２１ではＡＭやＦＭのラジオ放送を受信することもでき、これらのラジオ放送もイヤホン２８によって聴くことができる。
【００３２】
また、図２に示すようにインフォメーションキー２１は、各種の制御や信号処理などを行うマイクロコンピュータ３１、アンテナ３３、アンテナ３３を介して無線通信により信号を送受信する送受信部３２、音楽情報などの音情報を出力する音情報出力部３４、メンテナンス情報などを記憶するための記憶手段としてのメモリーカード３５、電子商取引に関する情報が記憶された記憶手段としてのＩＣチップ３６などを有している。ＩＣチップ３６はインフォメーションキー２１の内部に組み込まれている。メモリーカード３５はメモリーカード２６のように簡単に取り出すことができないようにインフォメーションキー２１の内部に装着されて図示しない蓋で塞がれおり、蓋を開けて取り外すようになっている。
【００３３】
マイクロコンピュータ３１では、メニューキー２３、バックキー２４又は作動操作キー２５の操作信号に応じた各種の制御や信号処理、表示部２２の表示制御、音情報出力部３４からの出力制御、送受信部３２及びアンテナ３３を介して行われる車両側の機器との無線通信の制御、メモリーカード２６に記憶された情報の読み取り（音楽情報の再生など）、メモリーカード３５へのメンテナンス情報の書き込み、ＩＣチップ３６からの情報の読み取りやＩＣチップ３６への情報の書き込みなどを行うようになっている。
【００３４】
具体的には、インフォメーションキー２１は図１に示すＡ〜Ｆの機能を有している。
【００３５】
機能Ａはセキュリティ＆アイデンティフィケーション機能である。セキュリティ機能とは、車両側の施錠開錠手段と無線通信を行うことにより、前記施錠開錠手段に車両のドアの施錠（ロック）又は開錠（アンロック）を行わせる施錠開錠指令機能である。即ち、インフォメーションキー２１のマイクロコンピュータ３１では、インフォメーションキー２１を携帯したドライバーなどの使用者が車両に対して接近又は離間するだけで、照合手段などを有してなる車両側の施錠開錠手段から常に発信されている伝搬（通信）範囲の狭い電波に呼応して、車両側の施錠開錠手段へ、送受信部３２からアンテナ３３を介して無線通信により照合ＩＤ（認証情報）を含む信号を送信する（施錠開錠指令手段）。車両側の施錠開錠手段では、この信号を受信して同施錠開錠手段に記憶されている照合ＩＤと前記信号に含まれる照合ＩＤとを照合した後、車両のドアを施錠又は開錠する。
【００３６】
なお、インフォメーションキー２１と車両側の施錠開錠手段との無線通信は、例えばＩＥＥＥ８０２．１１標準を基本とした技術“Ｂｌｕｅｔｏｏｔｈ（規格名）”（以下、ブルートゥースと称する）にしたがうが、必ずしもこれに限定するものではく、通信範囲の狭い無線通信方式であればよい。
【００３７】
アイデンティフィケーション機能とは、車両側のキー装着部にインフォメーションキー２１を装着した状態で車両側のエンジン始動手段と無線通信を行うことにより、前記エンジン始動手段によるエンジンの始動を許可するエンジン始動許可機能である。即ち、インフォメーションキー２１のマイクロコンピュータ３１では、前記キー装着部にインフォメーションキー２１を装着した状態で照合手段などを有してなる車両側のエンジン始動手段へ、送受信部３２からアンテナ３３を介して無線通信により照合ＩＤ（認証情報）を含む信号を送信する（エンジン始動許可手段）。
【００３８】
車両側のエンジン始動手段では、この信号を受信して同エンジン始動手段に記憶されている照合ＩＤと前記電波に含まれる照合ＩＤとを照合した後、車両のエンジンを始動する。つまり、エンジンのイモビライザ機能（正しい認証情報が入力されないと、イグニッションスイッチが投入されても点火装置を作動させず、エンジンを始動できない機能）を解除して、エンジンの始動を可能にする。この場合、照合ＩＤの送信は、送受信部３２及びアンテナ３３を介してブルートゥースの無線通信で行ってもよく、インフォメーションキー２１をキー装着部４１に装着した状態であるため、端子接続をして有線通信で行うようにしてもよい。
【００３９】
機能Ｂはオーディオ・ビジュアルエンターテイメント機能である。この機能は、スロット２７に差し込まれたメモリーカード２６に予め他のマイクロコンピュータなどを用いて記憶された音情報（音楽、会話など）又は画像情報を、マイクロコンピュータ３１で読み込み、音情報を再生して音情報出力部３４から出力する、又は、画像情報を再生して表示部２２に表示する機能である。
【００４０】
機能Ｃはドライバーサポート機能である。この機能は、スロット２７に差し込まれたメモリーカード２６に予め他のマイクロコンピュータなどを用いて記憶されたナビゲーションに関する情報（例えば目的地点情報）を、マイクロコンピュータ３１で読み込み、車両側のナビゲーションシステムに送信する機能である（ナビゲーション情報送信手段）。この場合、ナビゲーションに関する情報の送信は、送受信部３２及びアンテナ３３を介して無線通信で行うようにしてもよく、インフォメーションキー２１を車両側のキー装着部に装着した状態であるため、端子接続をして有線通信で行うようにしてもよい。
【００４１】
車両側のナビゲーションシステムでは、受信したナビゲーションに関する情報（例えば目的地点の情報）に基づいてスタート設定などを行う。このことによって例えば自宅のパソコン等で設定した目的地点等の情報を簡単に車両にインプットすることが可能となり、ドライバーをサポートすることができる。また、車両側のナビゲーションシステムから受信するナビゲーション情報に基づき、表示部２２には車両の進行方向（右折、左折、直進）を矢印で示すターン・バイ・ターン表示を行うこともできるようになっている。
【００４２】
機能Ｄはビークルステイタスインフォメーション機能である。この機能は、車両に設置された燃料計や温度センサなどの車両側の情報送信手段から送信される燃費や航続距離などの燃料関係の情報、車外温度や車室内温度といった空調関係の情報などの車両状態を表す情報を受信して、表示部２２に表示する機能である。なお、この場合、車両状態を表す情報の受信は、送受信部３２及びアンテナ３３を介して無線通信で行うようにしてもよく（情報受信手段）、インフォメーションキー２１をキー装着部４１に装着した状態であるため、端子接続をして有線通信で行うようにしてもよい（情報受信手段）。
【００４３】
機能Ｅはカスタマーリレイションマネジメント機能である。この機能は、車両のエンジンコントロールユニットやトラスミッションコントロールユニットなどの車両側のメンテナンス情報送信手段から送信される故障診断情報などのメンテナンス情報を受信して、メモリーカード３５に記憶する機能である。このメンテナンス情報が記憶されたメモリーカード３５を、例えばディーラーにおいて蓋を開けてインフォメーションキー２１から取り出すことにより、ディーラーに備えた外部の診断機にメモリーカード３５内のメンテナンス情報を伝達することができる。
【００４４】
機能Ｆはエレクトリカルコマース機能である。この機能は、ＥＴＣ（Ｅｌｅｃｔｒｏｎｉｃ  Ｔｏｌｌ  Ｃｏｌｌｅｃｔｉｏｎ  Ｓｙｓｔｅｍ：自動料金収受システム）やショッピングなどの電子商取引に関する情報を記憶したＩＣチップ３６を備えことにより、インフォメーションキー２１がクレジットカードとしても機能するというものである。
【００４５】
次に、図３及び図４に基づき、インフォメーションキー２１を車両側のキー装着部４１に装着したときの状態や操作例及び表示例について説明する。
【００４６】
図３に示すように、車両側のインストルメントパネル部４２には、インフォメーションキーの装着部であるキー装着部４１が形成されている。キー装着部４１はインフォメーションキー２１の形状に沿って略ダルマ形状に形成された凹部であり、このキー装着部４１にインフォメーションキー２１を着脱可能に装着することができる。
【００４７】
キー装着部４２に装着されたインフォメーションキー２１の周囲には、車両側の操作部４３が設けられている。操作部４３には車両側の操作機器としてタッチパッド４４、エンジンのスタータスイッチ４５、ハザードスイッチ４６が設けられている。タッチパッド４４は操作者が指を触れることによって動作する静電容量式の操作機器であり、半円形状に形成されて、インフォメーションキー２１の本体部２１Ａの周囲をほぼ囲むように配設されている。タッチパッド４４の操作は、タッチパッド４４上の特定位置を指でクリックしたり、タッチパッド４４上を指でワイプ（指でなぞる）することによって行う。
【００４８】
また、スタータスイッチ４５はタッチパッド４４の一端部４４ａの下方に配設され、ハザードスイッチ４６はタッチパッド４４の他端部４４ｂの下方に配設されている。上記のように照合ＩＤが照合されてエンジンス始動が可能となった後にスタータスイッチ４５を押すことにより、エンジンが始動する。
【００４９】
タッチパッド４４の一端部４４ａには、選択（チューニング）を確定するためのクリック位置を表す黒丸の表示（目印）４７が設けられ、タッチパッド４４の他端部４４ｂには、選択（チューニング）をリセットするためのクリック位置を表す白丸の表示（目印）４８が設けられている。また、タッチパッド４４の外周側には、タッチパッド４４によって選択可能な各種の機能を表す表示（目印）４９，５０，５１，５２，５３，５４，５５が、タッチパッド４４の半円形状に沿い、所定の間隔を有して半円形状に配列されている。各表示４９〜５５の位置に対応するタッチパッド４４上の位置をダブルクリックすることにより、各表示４９〜５５が表す機能をそれぞれ選択することができる。
【００５０】
表示４９は下向きの矢印形状であり、選択（チューニング）を確定する機能を表している。この機能はタッチパッド４４の表示４７の部分をダブルクリックすることによって選択される。表示５５は上向きの矢印形状であり、選択（チューニング）をリセットする機能を表している。この機能はタッチパッド４４の表示４８の部分をダブルクリックすることによって選択される。選択メニューが階層的になっている場合、表示４８部分をダブルクリックすると上位の選択メニューに戻ることができる。
【００５１】
表示５０は虫眼鏡形状であり、前述の機能Ｅ、即ちカスタマーリレイションマネジメント機能を表している。表示５１は手の形状であり、前述の機能Ｃ、即ちドライバーサポート機能を表している。表示５２は車両とインフォメーションの頭文字ｉを組み合わせた形状であり、上記のビークルステイタスインフォメーション機能Ｄを表している。表示５３は音符形状であり、上記のオーディオ・ビジュアルエンターテイメント機能Ｂのなかの音楽情報の提供機能を表している。表示５４はスピーカ形状であり、音楽情報などの音量を調整する機能を表している。
【００５２】
図４には操作及び表示の具体例として、所望の音楽を聴く場合の例を示す。なお、図４にはタッチパッド４４を操作する指５６を一点鎖線で示している。所望の音楽を聴く場合、まず、図４（ａ）に示すように音符形状の表示５３の位置に対応するタッチパッド４４上の位置を指５６でダブルクリックする。その結果、音楽情報の提供機能が選択され、図４（ｂ）に示すようにインフォメーションキー２１の表示部２２における表示が音符の表示に切り替わって音楽情報の提供機能が選択されたことをドライバなどの操作者に知らせる。
【００５３】
続いて、図４（ｃ）に示すように、表示部２２には、ＦＭ、ＡＭのラジオ放送とマイミュージックの選択メニューが表示される。ここで、マイミュージックを選択するために指５６でタッチパッド４４上を矢印５７のように右方向にワイプ操作する。マイミュージックはメモリーカード２６に記憶されている音楽情報である。その結果、図４（ｃ）及び図４（ｄ）に示すように表示部２２の丸表示がＦＭ、ＡＭ側からマイミュージック側に移動する。その後、図４（ｄ）に示すように下向きの矢印形状の表示４７に対応するタッチパッド４４上の位置（表示４７部分）を指５６でダブルクリックすると、マイミュージックの選択が確定される。
【００５４】
次に、図４（ｅ）に矢印５８で示すように、指５６でタッチパッド４４上を右方向又は左方向にワイプ操作することにより、所望のジャンルの音楽情報をサーチして選択する。図示例ではカフェミュージックを選択している。そして、指５６で表示４７に対応するタッチパッド４４上の位置（表示４７部分）をダブルクリックすることにより、図４（ｆ）に示すようにカフェミュージックの選択が確定され、メモリーカード２６に記憶されているカフェミュージックの各曲が再生される。
【００５５】
上記のように本実施の形態のインフォメーションキー２１は、インフォメーションキー２１をキー装着部４１に装着したときには、車両側の情報送信手段から情報受信手段によって受信する情報（車両状態を表す情報など）、及び、メモリーカード２６，３５やＩＣチップ３６に記憶された情報（音情報もしくは映像情報、ナビゲーションに関する情報、車両のメンテナンス情報、電子商取引に関する情報など）を表示し、インフォメーションキー２１をキー装着部４１から取り外したときには、メモリーカード２６，３５やＩＣチップ３６に記憶された情報を表示する表示部２２を備え、図１に示す機能Ａ〜Ｆを有するため、付加価値の非常に高い携帯機となる。
【００５６】
なお、機能Ａ〜Ｆの全てを備えた場合に限定するものではなく、例えば機能Ａに機能Ｂ〜Ｆの何れか１つの機能を加えるだけでも、インフォメーションキー２１は付加価値の高いものとなる。
【００５７】
また、インフォメーションキー２１に備えた操作スイッチは、インフォメーションキー２１をキー装着部４１から取り外した状態で表示部２２に表示される選択メニューを選択するためのメニューキー２３及びバックキー２４と、インフォメーションキー２１をキー装着部４１から取り外した状態で作動可能な機能を作動又は停止させるための作動操作キー２５のみであるため、即ち、必要最低限の操作スイッチのみを有しているため、表示部２２を有していても、小型で持ち運に適してものとなり、しかも、その他の操作スイッチは車両側に設けることになり、車両側のキー装着部４１に装着した状態では、操作スイッチの配置や数に対する制限が少ないため、例えば図３に示すようなタッチパッド４４などの配設が可能となり、使い勝手の改善を図ることができる。
【産業上の利用可能性】
【００５８】
本発明はメカニカルキーを用いることなく無線通信により車両のドアの開錠及び施錠などを行うキーレスエントリーシステムの携帯機であるインフォメーションキーに関するものであり、付加価値の高いキーレスエントリーシステムの携帯機を実現する場合に適用して有用なものである。
【図面の簡単な説明】
【００５９】
【図１】本発明の実施の形態に係るインフォメーションキー（情報機能付きキー）の構成図である。
【図２】前記インフォメーションキーの主な内部構成などを示すブロック図である。
【図３】前記インフォメーションキーを車両側の装着部に装着した状態を示す図である。
【図４】車両側の操作部の操作例と前記インフォメーションキーの表示部の表示例とを示す説明図である。
【図５】従来のキーレスエントリーシステムの携帯機の構成図である。
【符号の説明】
【００６０】
２１  インフォメーションキー（情報機能付きキー）
２１Ａ  本体部
２１Ｂ  凸部
２２  表示部
２３  メニューキー
２４  バックキー
２５  作動操作キー
２６  メモリーカード
２７  スロット
２８  イヤホン
２９  プラグ
３０  イヤホンジャック
３１  マイクロコンピュータ
３２  送受信部
３３  アンテナ
３４  音情報出力部
３５  メモリーカード
３６  ＩＣチップ
４１  キー装着部
４２  インストルメントパネル部
４４  タッチパッド
４４ａ，４４ｂ  タッチパッド端部
４５  スタータスイッチ
４６  ハザードスイッチ
４７〜５５  表示
Ａ〜Ｆ  インフォメーションキーの機能
【図１】
2005067278.tif 000003
【図２】
2005067278.tif 000004
【図３】
2005067278.tif 000005
【図４】
2005067278.tif 000006
【図５】
2005067278.tif 000007